(57)【要約】【課題】眼が乾く虞があるか乾いている場合に、乾燥警告や眼部への加湿空気の吹き出しが成され、安全に運転を続けることができる眼乾燥防止装置Ａの提供。【解決手段】眼乾燥防止装置Ａは、車両用空調装置が作動状態になると連動して作動状態になり、眼保湿制御器４が、車室内カメラ１からの動画像を処理した画像データに基づいて運転者の眼の状態を判定し、乾いていると判定した場合には、投影器３を作動させてフロントウィンドウの下部の投影面に警告文字を投影し、眼保湿装置２を作動させて運転者の眼部方向に高湿度の冷風２９を吹き出す。【選択図】        図１
2004189082.tif 000002
【特許請求の範囲】
【請求項１】
乗員の眼部を撮影する撮影手段と、
該撮影手段が撮影する前記眼部の動画像を処理する画像処理手段と、
該画像処理手段が処理した画像データに基づいて、白目部分の状態や所定時間内の瞬き回数を検出し、この検出結果に基づいて眼の状態を判定する眼状態判定手段と、
眼が乾いているか乾く虞があることを警告するための乾燥警告手段と、
前記乗員の眼部近傍への加湿空気の吹き出しが可能な加湿空気吹出手段と、
前記眼状態判定手段の判定結果に基づいて、前記乾燥警告手段や前記加湿空気吹出手段を作動させる眼保湿制御手段とを備えることを特徴とする眼乾燥防止装置。
【請求項２】
乗員の眼部を撮影する撮影手段と、
該撮影手段の撮影画像に基づいて車室内における前記眼部の位置を把握する眼部位置把握手段と、
前記撮影手段が撮影する前記眼部の動画像を処理する画像処理手段と、
該画像処理手段が処理した画像データに基づいて、白目部分の状態や所定時間内の瞬き回数を検出し、この検出結果に基づいて眼の状態を判定する眼状態判定手段と、
眼が乾いているか乾く虞があることを警告するための乾燥警告手段と、
可動吹出口から加湿空気の吹き出しが可能な加湿空気吹出手段と、
前記可動吹出口の吹出口を、前記眼部位置把握手段が把握した眼部位置に向ける可動吹出口駆動手段と、
前記眼状態判定手段の判定結果に基づいて、前記乾燥警告手段や前記加湿空気吹出手段を作動させる眼保湿制御手段とを備えることを特徴とする眼乾燥防止装置。
【請求項３】
車両用空調装置に連動して作動することを特徴とする請求項１または請求項２に記載の眼乾燥防止装置。
【請求項４】
前記加湿空気吹出手段は、車両用空調装置のエバポレータを通過した空気を所定温度に加熱する電熱ヒータと、該電熱ヒータにより加熱された空気に所定量の水蒸気を付加する加湿器とを備え、
前記眼保湿制御手段は、車室内の湿度を検出する湿度センサが検出する湿度に基づいて前記水蒸気の所定量を決定し、車室温を検出する内気温センサが検出する車室温度に基づいて前記所定温度を決定することを特徴とする請求項１乃至請求項３の何れかに記載の眼乾燥防止装置。
【請求項５】
前記加湿空気吹出手段は、車両用空調装置のエバポレータを通過した空気を所定温度に加熱する電熱ヒータと、該電熱ヒータにより加熱された空気に所定量の水蒸気を付加する加湿器とを備え、
ハンドル、インストルメントパネル、センターコンソール、またはドアの適所に配置した操作器、またはワイヤレス式の操作器により、前記電熱ヒータの加熱量および前記加湿器の水蒸気付加量が調整可能であることを特徴とする請求項１乃至請求項３の何れかに記載の眼乾燥防止装置。
【請求項６】
少なくとも前記加湿空気吹出手段を、車室内の、ピラー、ハンドル、または天井に設けることを特徴とする請求項１乃至請求項５の何れかに記載の眼乾燥防止装置。
【請求項７】
前記乾燥警告手段は、行先案内装置の表示器、インストルメントパネルに装着される電装品操作部の表示器、またはフロントウィンドウに警告表示を行うことを特徴とする請求項１乃至請求項６の何れかに記載の眼乾燥防止装置。
【請求項８】
前記加湿空気吹出手段が作動すると、車両用空調装置の吹出口モードを、フロントガラスに空調風を吹き出すＤＥＦモードか、前記フロントガラスと足元とに空調風を吹き出すＢ／Ｌモードに固定することを特徴とする請求項１乃至請求項７の何れかに記載の眼乾燥防止装置。
【請求項９】
前記乾燥警告手段は、音、振動、または光により警告報知を行うことを特徴とする請求項１乃至請求項８の何れかに記載の眼乾燥防止装置。
【発明の詳細な説明】
【０００１】
【発明の属する技術分野】
本発明は、乗員の眼の乾燥を防ぐ眼乾燥防止装置に関する。
【０００２】
【従来の技術】
特許文献１に記載の車両用空調装置は、乗員の顔の方向に向けて加湿風が供給される様に加湿風吹出し口を設定した加湿器を具備している。
【０００３】
【特許文献１】
特開平４−  １８３６３４号公報  （第２頁〜第４頁、第２図）
【０００４】
【発明が解決しようとする課題】
上記特許文献１の技術は、下記に示す課題を有する。
眼部が充分保湿してる場合でも加湿風が供給されるので煩わしい。
眼部が乾いてきた際に警告がなされない。
加湿風の湿度や温度が適正でない場合がある。
【０００５】
本発明の目的は、眼が乾く虞があるか乾いている場合に、乾燥警告や眼部への加湿空気の吹き出しが成され、安全に運転を続けることができる眼乾燥防止装置の提供にある。
【０００６】
【課題を解決するための手段】
〔請求項１について〕
撮影手段は、乗員の眼部を撮影する。
画像処理手段は、撮影手段が撮影する眼部の動画像を処理する。
【０００７】
眼状態判定手段は、画像処理手段が処理した画像データに基づいて、白目部分の状態や所定時間内の瞬き回数を検出し、この検出結果に基づいて眼の状態を判定する。
【０００８】
眼保湿制御手段により制御される乾燥警告手段は、眼状態判定手段の判定結果に基づいて、眼が乾いているか乾く虞があることを乗員に警告する。
眼保湿制御手段により制御される加湿空気吹出手段は、眼状態判定手段の判定結果に基づいて、乗員の眼部近傍への加湿空気の吹き出しを行い、眼の保湿化を図る。
【０００９】
眼が乾く虞があるか乾いている場合には、乾燥警告や眼部への加湿空気の吹き出しが成され、眼の乾燥を防いだり眼の乾燥を解消することができる。これにより、眼の乾きに起因する不快感や疲れを解消することができ、安全に運転を続けることができる。
【００１０】
〔請求項２について〕
撮影手段は、乗員の眼部を撮影する。
眼部位置把握手段は、撮影手段の撮影画像に基づいて車室内における眼部の位置を把握する。
画像処理手段は、撮影手段が撮影する眼部の動画像を処理する。
【００１１】
眼状態判定手段は、画像処理手段が処理した画像データに基づいて、白目部分の状態や所定時間内の瞬き回数を検出し、この検出結果に基づいて眼の状態を判別する。
【００１２】
眼保湿制御手段により制御される乾燥警告手段は、眼状態判定手段の判定結果に基づいて、眼が乾いているか乾く虞があることを乗員に警告する。
【００１３】
眼保湿制御手段により制御される加湿空気吹出手段は、眼状態判定手段の判定結果に基づいて、乗員の眼部近傍への加湿空気の吹き出しを行い、眼の保湿化を図る。
また、可動吹出口駆動手段は、眼部位置把握手段が把握した眼部位置の方向に可動吹出口を向ける。
【００１４】
眼が乾く虞があるか乾いている場合には、乾燥警告や眼部への加湿空気の吹き出しが成され、眼の乾燥を防いだり眼の乾燥を解消したりすることができる。これにより、眼の乾きに起因する不快感や疲れを解消することができ、安全に運転を続けることができる。また、可動吹出口が眼部位置に向くので眼部の保湿化を効率良く行うことができる。
【００１５】
〔請求項３について〕
車両用空調装置の作動に連動して眼乾燥防止装置を作動させる。
眼乾燥防止装置が車両用空調装置の機能を使う構成であるので、乗員の眼部に吹き出す加湿空気を冷たくしたり、加湿空気の流れを作るのに、別途、冷却装置や送風装置を用意する必要がない。
【００１６】
〔請求項４について〕
加湿空気吹出手段は、車両用空調装置のエバポレータを通過した空気を所定温度に加熱する電熱ヒータと、この電熱ヒータにより加熱された空気に所定量の水蒸気を付加する加湿器とを備える。
【００１７】
車室内の湿度を検出する湿度センサが検出する湿度に基づいて加湿器が付加する水蒸気の所定量を眼保湿制御手段が決定する。また、車室温を検出する内気温センサが検出する車室温度に基づいて電熱ヒータが加熱する空気の所定温度を眼保湿制御手段が決定する。
これにより、適正な温度・湿度の加湿風が乗員の眼部に吹き出されるので、眼部の保湿化を快適に行うことができる。
【００１８】
〔請求項５について〕
加湿空気吹出手段は、車両用空調装置のエバポレータを通過した空気を所定温度に加熱する電熱ヒータと、この電熱ヒータにより加熱された空気に所定量の水蒸気を付加する加湿器とを備える。
【００１９】
ハンドル、インストルメントパネル、センターコンソール、またはドアの適所に配置した操作器か、ワイヤレス式の操作器を操作して、電熱ヒータの加熱量および加湿器の水蒸気付加量を手動で調整する。
これにより、乗員が望む温度・湿度の加湿風が乗員の眼部に吹き出されるので、眼部の保湿化を快適に行うことができる。
【００２０】
〔請求項６について〕
少なくとも加湿空気吹出手段を、車室内の、ピラー、ハンドル、または天井に設けている。
これにより、乗員の眼部近傍へ加湿空気を容易に吹き出すことができる。また、運転者の視界を遮らない場所に吹出口が位置するので運転の邪魔にならない。
【００２１】
〔請求項７について〕
眼が乾いているか乾く虞がある場合には、行先案内装置の表示器、インストルメントパネルに装着される電装品操作部の表示器、またはフロントウィンドウに乾燥警告手段が警告表示を行う。これにより、眼が乾いているか乾く虞があることを乗員に警告することができる。
【００２２】
〔請求項８について〕
加湿空気吹出手段が作動すると、車両用空調装置の吹出口モードを、フロントガラスに空調風を吹き出すＤＥＦモードか、フロントガラスと足元とに空調風を吹き出すＢ／Ｌモードに固定する。
【００２３】
これにより、車両用空調装置の吹出口から吹き出される空調風に阻まれることなく、乗員の眼部近傍へ加湿空気を確実に到達させることができる。
また、乾いた風がフロントガラスに送風されるのでフロントガラスの曇り防止が図れる。
【００２４】
〔請求項９について〕
眼が乾いているか乾く虞がある場合には、音、振動、または光により、警告報知を乾燥警告手段が行う。これにより、眼が乾いているか乾く虞がある旨の警告を乗員に確実に伝えることができる。
【００２５】
なお、音、振動、または光による警告報知を単独で行っても良く、行先案内装置の表示器、インストルメントパネルに装着される電装品操作部の表示器、またはフロントウィンドウへの警告表示と併用して行っても良い。
【００２６】
【発明の実施の形態】
本発明の第１実施例に係る眼乾燥防止装置Ａ（請求項１、３、５、６、７、８に対応）を、図１〜図５に基づいて説明する。
【００２７】
図１に示す如く、眼乾燥防止装置Ａは、車室内カメラ１と、眼保湿装置２と、投影器３と、眼保湿制御器４と、操作器５とを備え、車両用空調装置が作動状態になると、連動して作動状態になる。
【００２８】
撮影手段である車室内カメラ１は、インストルメントパネル（図示せず）の適所に配され、運転席に座っている運転者の眼部を撮影し、ビデオ信号を眼保湿制御器４に出力する。
【００２９】
加湿空気吹出手段である眼保湿装置２は、電熱ヒータ２１、加湿器２２、水タンク２３、および吹出口２４を備える（図２、図４参照）。
そして、車両用空調装置のエバポレータ（図示せず）を通過した空調空気２５の一部を流すためのダクト２６をピラー２７内に形成している。
【００３０】
ダクト２６内に配される電熱ヒータ２１は、眼保湿制御器４により通電量が制御され、エバポレータを通過した低温の空気２５をリヒートし、所定温度の冷風にしている。
【００３１】
投影器３は、運転者の眼が乾いているか乾く虞があると眼保湿制御器４が判定すると作動し、フロントウィンドウ３１の下部の投影面３２に、警告文字を投影する。
また、運転者の眼が乾いているか乾く虞があると眼保湿制御器４が判定すると、眼保湿制御器４は、ナビゲーション装置４１に表示信号を送出して、ディスプレイ４２の地図画面上に警告文字を重畳して表示する。
【００３２】
眼保湿制御器４により制御される加湿器２２はピラー２７に配設され、水タンク２３内の水道水を超音波により霧状２０にして放出口２８からダクト２６内に放出する。
【００３３】
水タンク２３は、ピラー２７に着脱可能に配設され、加湿器２２に供給するための水道水を貯水している。なお、水タンク２３内の水道水は、加熱や濾過により殺菌処理が成される。
【００３４】
吹出口２４は、ピラー２７から運転席方向に開口しており、運転者の眼部方向に高湿度の冷風２９を吹き出す。
【００３５】
インストルメントパネルの適所に配設される操作器５は、吹出口２４から吹き出される冷風２９の温度と水蒸気含有量とを手動調整するためのものである。
この操作器５の操作部を運転者が操作することにより、電熱ヒータ２１への通電量や加湿器２２の加湿能力が眼保湿制御器４を介して増減する。
【００３６】
つぎに、眼乾燥防止装置Ａの眼保湿制御器４の作動を、図５に示すフローチャートに基づいて説明する。
ステップｓ１において、車両用空調装置のＡ／Ｃスイッチがオン状態（コンプレッサ作動）で、且つ、Ｐ分以上経過しているか否かを眼保湿制御器４が判別し、Ｙｅｓの場合にはステップｓ２に進む。なお、本実施例ではＰ＝３０にしている。
【００３７】
ステップｓ２において、眼保湿制御器４が車室内カメラ１をオン状態にし、ステップｓ３に進む。
【００３８】
ステップｓ３において、５分間の瞬き回数ＴがＴ１回未満であるか否か判別し、Ｔ１回以上の場合（Ｎｏ）にはステップｓ４に進み、Ｔ１回未満の場合（Ｙｅｓ）にはステップｓ６に進む。なお、本実施例ではＴ１＝２５にしている。
【００３９】
ステップｓ４において、５分間の瞬き回数ＴがＴ２回を越えるか否か判別し、Ｔ２回以下の場合（Ｎｏ）にはステップｓ５に進み、Ｔ２回を越える場合（Ｙｅｓ）にはステップｓ７に進む。なお、本実施例ではＴ２＝１５０にしている。
【００４０】
ステップｓ３、４では、車室内カメラ１が出力するビデオ信号を処理する眼保湿制御器４の画像処理部（画像処理手段に相当）が、画像処理（二値化処理、膨張処理、縮退処理等）して図３に示す様な眼部画像を複数抽出し、これら複数の眼部画像を解析して５分間の瞬き回数を検出する。
【００４１】
通常、人間の瞬きは、２０回／分程度であるが、運転操作に集中していたり、ディスプレイ４２を見て操作をしていると、１／４程度に低下することがある。そこで、２０÷４×５で、Ｔ１を２５に設定している。
また、眼が乾燥すると、瞬きの回数が増加して、３０回／分を越えてくる。そこで、３０×５で、Ｔ２を１５０に設定している。
【００４２】
ステップｓ５において、図３に示す眼部画像（眼が開いているもの）の白眼部分の面積的な平均画素Ｍが判定値Ｍ１未満であるか否か判別し、判定値Ｍ１未満である場合（Ｙｅｓ）にはステップｓ８に進む。なお、本実施例ではＭ１＝２００にしている。
【００４３】
通常、健康な白眼であるならば、白色（画素値ＲＧＢで２５５、２５５、２５５）が大部分を占める。しかし、眼が乾燥して来ると、白眼部分が赤みを帯びてきて、そこの画素値はＲＧＢで（２５５、０、０）に近づく。そこで、本実施例では、ＲＧＢの内のＧ、Ｂに着目し、白眼部分のＧ、Ｂの平均画素値が２００（閾値Ｍ１＝２００）未満になる（赤みを帯びてくる）と、眼が乾燥していると判別する様にしている。
【００４４】
ステップｓ６において、眼保湿制御器４が投影器３に警告文字の投影を指示し、ナビゲーション装置４１に表示信号を送出する。これにより、下記の状態になる。
【００４５】
フロントウィンドウ３１の下部の投影面３２に、眼が乾く虞がある旨を示す警告文字（表示１）が投影される。
ナビゲーション装置４１のディスプレイ４２の地図画面上に、眼が乾く虞がある旨を示す警告文字（表示１）が重畳して表示される。なお、表示１の警告文字は、『眼乾燥注意』や『瞬きせよ』等である。
【００４６】
ステップｓ７において、眼保湿制御器４が投影器３に警告文字の投影を指示し、ナビゲーション装置４１に表示信号を送出する。更に、眼保湿装置２を作動状態にする。これにより、下記の状態になる。
【００４７】
フロントウィンドウ３１の下部の投影面３２に、眼が乾いている旨を示す警告文字（表示２）が投影される。
ナビゲーション装置４１のディスプレイ４２の地図画面上に、眼が乾いている旨を示す警告文字（表示２）が重畳して表示される。なお、表示２の警告文字は、『眼が乾燥し始めています』や『眼保湿装置作動』等である。
【００４８】
眼保湿装置２が作動し、吹出口２４から運転者の眼部方向に高湿度の冷風２９が吹き出る。
【００４９】
ステップｓ８において、眼保湿制御器４が投影器３に警告文字の投影を指示し、ナビゲーション装置４１に表示信号を送出する。更に、眼保湿装置２を作動状態にする。これにより、下記の状態になる。
【００５０】
フロントウィンドウ３１の下部の投影面３２に、眼が非常に乾いている旨を示す警告文字（表示３）が投影される。
ナビゲーション装置４１のディスプレイ４２の地図画面上に、眼が非常に乾いている旨を示す警告文字（表示３）が重畳して表示される。なお、表示３の警告文字は、『眼が非常に乾燥しています』や『眼保湿装置作動』等である。
【００５１】
眼保湿装置２が作動し、吹出口２４から運転者の眼部方向に高湿度の冷風２９が吹き出る。
【００５２】
なお、眼保湿装置２の作動中（ステップｓ７、ｓ８）は、眼保湿制御器４が、車両用空調装置の吹出口モードを、フロントガラスに空調風を吹き出すＤＥＦモードか、フロントガラスと足元とに空調風を吹き出すＢ／Ｌモードに固定する。
【００５３】
また、眼保湿装置２の作動中（ステップｓ７、ｓ８）は、操作器５を運転者が手動操作することにより、吹出口２４から吹き出される冷風２９の温度や水蒸気含有量を調整することができる。
【００５４】
本発明の眼乾燥防止装置Ａは、以下の利点を奏する。
〔ア〕眼乾燥防止装置Ａは、運転者の眼の瞬き回数が少なく、眼が乾く虞があると眼保湿制御器４が判定した場合には、フロントウィンドウ３１の下部の投影面３２に、眼が乾く虞がある旨を示す警告文字を投影し、ディスプレイ４２の地図画面上に、眼が乾く虞がある旨を示す警告文字を重畳して表示する構成である（ステップｓ６）。
【００５５】
これにより、運転者は、瞬き回数を増やしたり、休息したりして、眼の乾きを防止する措置を取ることを促されるので、安全に運転を続けることができる。
【００５６】
〔イ〕眼乾燥防止装置Ａは、運転者の眼の瞬き回数が多く、眼が乾いていると眼保湿制御器４が判定した場合には、眼保湿装置２を作動状態にして、吹出口２４から運転者の眼部方向に高湿度の冷風２９を吹き出す構成である（ステップｓ７）。
【００５７】
高湿度の冷風２９により、乾燥した眼を保湿化することができる。よって、眼の乾きに起因する不快感や疲れを解消することができ、運転者が安全に運転を続けることができる。
【００５８】
〔ウ〕眼乾燥防止装置Ａは、白眼部分が赤みを帯びてきて、眼が非常に乾燥していると眼保湿制御器４が判定した場合には、眼保湿制御器４が、眼保湿装置２を作動状態にし、投影器３に警告文字の投影を指示し、ナビゲーション装置４１に表示信号を送出する構成である。
【００５９】
これにより、運転者が自分の眼が非常に乾燥していることを警告文字により認識できるとともに、高湿度の冷風２９により乾燥した眼を保湿化することができる。よって、眼の乾きに起因する不快感や疲れを解消することができ、安全に運転を続けることができる。
【００６０】
〔エ〕眼保湿装置２が作動すると、眼保湿制御器４が、車両用空調装置の吹出口モードを、フロントガラスに空調風を吹き出すＤＥＦモードか、フロントガラスと足元とに空調風を吹き出すＢ／Ｌモードに固定する構成である。
これにより、空調風に阻まれることなく、運転者の眼部近傍へ高湿度の冷風２９を確実に到達させることができる。
また、乾いた空調風がフロントガラスに送風されるのでフロントガラスの曇り防止が図れる。
【００６１】
〔オ〕眼保湿装置２の作動中は、インストルメントパネルの適所に配置した操作器５を運転者が操作して、高湿度の冷風２９の温度と湿度を手動で調整することができる。
これにより、運転者が望む温度・湿度の冷風２９が眼部に吹き出されるので、眼部の保湿化を快適に行うことができる。
【００６２】
〔カ〕眼乾燥防止装置Ａは、眼保湿制御器４および眼保湿装置２を車室内のピラー２７内に設けている。
これにより、運転の邪魔にならないとともに、運転者の眼部近傍へ高湿度の冷風２９を容易に吹き出すことができる。
【００６３】
つぎに、本発明の第２実施例に係る眼乾燥防止装置Ｂ（請求項１、２、３、４、６、７、８に対応）を図６に基づいて説明する。
【００６４】
眼乾燥防止装置Ｂは、以下の構成や作動が眼乾燥防止装置Ａと異なる。
車室内の温度・湿度を検出する温度センサ、湿度センサの各センサ出力に基づいて冷風２９の温度と湿度を眼保湿制御器４が演算して求め、眼保湿装置２の電熱ヒータ２１への通電量や加湿器２２の加湿能力を決定している。
【００６５】
眼保湿制御器４の眼部位置把握部（眼部位置把握手段）が、車室内カメラ１のフォーカス情報やビデオ信号等に基づいて、車室内カメラ１からの眼部方向や距離を算出し、車室内における眼部の位置を割り出している。
【００６６】
そして、眼保湿制御器４のアクチュエータ（可動吹出口駆動手段）４３を上下左右方向に制御して、ピラー２７内に配設した可動吹出口４４が、眼部位置把握部が割り出した眼部方向に向く様にしている。
【００６７】
瞬き回数や白目部分の状態から、運転者の眼が乾いているか乾く虞があると眼保湿制御器４が判定した場合には、表示信号を出力して、エアコンパネルの表示面４５に警告文字が表示される様にしている。
【００６８】
本発明の眼乾燥防止装置Ｂは、上記〔ア〕、〔イ〕、〔エ〕、〔カ〕に準じた利点以外に下記の利点も奏する。
〔キ〕可動吹出口４４が眼部方向に向くので眼部の保湿化を効率良く行うことができる。
【００６９】
〔ク〕車室内の温度と湿度に基づいて冷風２９の温度や湿度を決定している。このため、適正な温度・湿度の冷風２９が運転者の眼部に吹き出されるので、眼部の保湿化を快適に行うことができる。
【００７０】
本発明は、上記実施例以外に、つぎの実施態様を含む。
ａ．車室内の湿度を検出する湿度センサの検出湿度が所定の閾値を下回ったら、加湿空気吹出手段が作動する様にしても良い。
【００７１】
ｂ．加湿空気吹出手段の作動中は、加湿空気が運転者の眼部に届く様に、ＦＡＣＥ吹出口やＳＩＤＥ吹出口からの空調風の吹出方向が、運転者の眼部方向から外れる様に、吹出口のルーバが制御されるのが好ましい。
【００７２】
ｃ．眼が乾いているか乾く虞があることを警告するための乾燥警告手段は、下記に示す様に、音、振動、または光により警告報知を行う構成であっても良い（請求項９に対応）。
・『瞬き回数が少ないので多く瞬いて下さい』等の合成音声。
・瞬きを促す様に、ハンドルの所定箇所が振動して、合谷等のツボを刺激する。
・座席が振動する。
・警告ランプが点灯する。
【００７３】
ｄ．加湿空気吹出手段の吹出口は、ピラー以外に、ハンドル、天井、ドア等に設けても良い。
【００７４】
ｅ．操作器は、インストルメントパネル以外に、ハンドル、センターコンソール、またはドアの適所に配設しても良い。また、ワイヤレス式のリモコンであっても良い。
【図面の簡単な説明】
【図１】本発明の第１実施例に係る眼乾燥防止装置の原理を示す説明図である。
【図２】その眼乾燥防止装置を自動車に装着した状態を示す説明図である。
【図３】眼部画像を示す説明図である。
【図４】その眼乾燥防止装置を装着したピラー部分の説明図である。
【図５】その眼乾燥防止装置の眼保湿制御器の作動を示すフローチャートである。
【図６】本発明の第２実施例に係る眼乾燥防止装置の原理を示す説明図である。
【符号の説明】
Ａ  眼乾燥防止装置
１  車室内カメラ（撮影手段）
２  眼保湿装置（加湿空気吹出手段）
３  投影器（乾燥警告手段）
４  眼保湿制御器（画像処理手段、眼部位置把握手段、眼状態判定手段、眼保湿制御手段）
５  操作器
２１  電熱ヒータ
２２  加湿器
２４  吹出口
２９  冷風（加湿空気）
４３  アクチュエータ（可動吹出口駆動手段）
４４  可動吹出口
【図１】
2004189082.tif 000003
【図２】
2004189082.tif 000004
【図３】
2004189082.tif 000005
【図４】
2004189082.tif 000006
【図５】
2004189082.tif 000007
【図６】
2004189082.tif 000008